(57)【要約】【課題】  この発明は、大勢の複数の人が同時に楽しく安全に遊べる遊戯用球技具を開発・提供する事にある。【解決手段】  この発明は、基台に、支柱を設け、該支柱に水平に輪部を設け、該輪部に、ボールを投げ入れ用の底無しの網籠を装着し、該輪部の上部には、輪部の中心で連結される、複数本の弧状の枠を設け、これらの各枠には、輪部の中心よりそれぞれ３分割した網体を張設したものである。又、支柱が、複数本であり、各支柱がそれぞれ伸縮可能で、且つ、基台が、ウェイト用の水、砂等ウェイト部材を充填する半球状又は富士山状の容器、或いは、水に浮かぶ浮力体である事を特徴とするものである。【選択図】  図１
2006026221.tif 000002
【特許請求の範囲】
【請求項１】
複数が同時に競技可能な球技具であって、基台（１）に、支柱（２）を設け、該支柱に水平に輪部（６）を設け、該輪部に、ボールを投げ入れ用の底無しの網籠（５）を装着し、該輪部（６）の上部には、輪部の中心で連結される、複数本の弧状の枠（７ｂ）を設け、これらの各枠には、輪部の中心よりそれぞれ３分割した網体（７ａ）を張設する事を特徴とする球技具。
【請求項２】
支柱（２）が、複数本であり、各支柱がそれぞれ伸縮可能である事を特徴とする請求項１記載の球技具。
【請求項３】
基台（１）が、ウェイト用の水、砂等ウェイト部材を充填する半球状又は富士山状の容器、或いは、水に浮かぶ浮力体である事を特徴とする請求項１記載の球技具。
【発明の詳細な説明】
【技術分野】
【０００１】
この発明は、複数が同時に競技可能な遊戯用の球技具に関するものである。
【背景技術】
【０００２】
従来、子供から大人、又、お年寄りや身障者が楽しく安全に遊べる遊戯用の道具として使用されているものは数多く有るが、その中でも特に、大勢の複数の人が同時に一緒になって競技出来るものは数少ない。
【０００３】
又、下記にこれまでに出願された遊戯具の一部を紹介する。（特許文献１〜２参照。）
【特許文献１】実開平６−８１５６０
【特許文献１】特開平１０−２４１３６
【発明の開示】
【発明が解決しようとする課題】
【０００４】
そこで、上記課題を解決する為に、この発明は、大勢の複数の人が同時に楽しく安全に遊べる遊戯用球技具を開発・提供する事にある。
【課題を解決するための手段】
【０００５】
この課題を解決する為の手段として、この発明は、基台に、支柱を設け、該支柱に水平に輪部を設け、該輪部に、ボールを投げ入れ用の底無しの網籠を装着し、該輪部の上部には、輪部の中心で連結される、複数本の弧状の枠を設け、これらの各枠には、輪部の中心よりそれぞれ３分割した網体を張設したものである。
【０００６】
又、支柱が、複数本であり、各支柱がそれぞれ伸縮可能である事を特徴とするものである。
【０００７】
又、基台が、ウェイト用の水、砂等ウェイト部材を充填する半球状又は富士山状の容器、或いは、水に浮かぶ浮力体である事を特徴とするものである。
【発明の効果】
【０００８】
この発明の効果として、基台に、支柱を設け、該支柱に水平に輪部を設け、該輪部に、ボールを投げ入れ用の底無しの網籠を装着し、該輪部の上部には、輪部の中心で連結される、複数本の弧状の枠を設け、これらの各枠には、輪部の中心よりそれぞれ３分割した網体を張設する事で、大人から子供、又お年寄りや身障者が楽しく安全に輪に成って競技出来る。
【０００９】
又、基台に浮力部材を使用し、表面部にウェイト部材補給口付容器を設ける事で、球技具を安定させ、且つ、水上に浮かべて水球としても使用出来る。
【００１０】
又、基台の上面部には、等間隔に設置された３本の上下伸縮調整移動型支柱で網体を支持する事で、競技をするメンバーの身長に合わせて高さ調整出来る。そして、網体の穴の大きさも止輪の大きさを変える事で網の張りを調整し、ボールを入り易くしたり、入り難く調整する事が出来る。
【００１１】
又、基台が、ウェイト用の水、砂等ウェイト部材を充填する半球状又は富士山状の容器、或いは、水に浮かぶ浮力体にする事で、ボールをゴールインした際、基台中心から外へ向けて放射状方向に玉が移動する為、玉が取り易く、拾いに行く手間が省ける等、極めて有益なる効果を奏するものである。
【発明を実施するための最良の形態】
【００１２】
この発明の最良の形態として、球技具の高さは、大人から子供が使用可能な高さ調整範囲を設け、網体の大きさも、子供が容易にゴール出来る様、やや大きめのサイズに設定する事が望ましい。又、支柱やゴール枠や輪部等には安全性を考慮し、目立ち易いカラー色のプロテクトラバー等の防護部材を巻着する事が望ましい。
【実施例１】
【００１３】
そこで、この発明の一実施例を図１〜図２に基づいて詳述すると、複数が同時に競技可能な球技具であって、基台（１）に、支柱（２）を設け、該支柱に水平に輪部（６）を設け、該輪部に、ボールを投げ入れ用の底無しの網籠（５）を装着し、該輪部（６）の上部には、輪部の中心で連結される、複数本の弧状の枠（７ｂ）を設け、これらの各枠には、輪部の中心よりそれぞれ３分割した網体（７ａ）を張設する事を特徴とする球技具から構成される。
【００１４】
又、支柱（２）が、複数本であり、各支柱がそれぞれ伸縮可能である事を特徴とする球技具から構成される。
【００１５】
又、基台（１）が、ウェイト用の水、砂等ウェイト部材を充填する半球状又は富士山状の容器、或いは、水に浮かぶ浮力体である事を特徴とする球技具から構成される。
【００１６】
次に、各部の詳細について説明すると、まず基台（１）は、裏面部に４箇所の防振ゴム等のストッパーラバー（１ａ）と、表面部には３本の支柱（３）と一体化されたリング状のパイプ（８）を固定する為のサポート（ＳＰ）を周囲４箇所に設け、それぞれをボルト（Ｂ２）・袋ナット（Ｎ）等の係止部材で固着している。
【００１７】
又、基台（１）の表面中央部には、球技具を安定させ、且つ、ボールをゴールインした際、ボールが基台中心から外へ向けて放射状方向に玉を移動させる為に、ほぼ半球形状又は富士山状のカウンターウェイト用容器（１ｂ）を設け、中央上部に水や砂等のウェイト部材（Ｗ）を補給する為の補給口（１ｂ'）を設けている。
【００１８】
又、基台（１）の周囲３箇所に立設した支柱（２）（３）（４）は、それぞれアウターパイプ（２ａ）（３ａ）（４ａ）とインナーパイプ（２ｂ）（３ｂ）（４ｂ）で構成され、上下方向に移動させて高さ調整出来、且つ、該アウターパイプ（２ａ）（３ａ）（４ａ）の上端部に設けたボルト等の固着部材（Ｂ１）でそれぞれ固着出来る様に成っている。又、インナーパイプの上端部とアウターパイプの下端部はそれぞれヒンジ（Ｈ）で係止され、上下移動による傾斜角の変化に追従出来る構造に成っている。
【００１９】
次に、支柱の上部に固着した輪部（６）には球技具用底無し網篭（５）を側線バンド等の係止部材で係止している。
【００２０】
そして、輪部（６）の上部には周囲を３等分に分割し、周囲３方向からボール（Ｂ）をシュートしてゴールイン可能な、弧状の枠（７ｂ）を３方向に設け、それぞれの枠（７ｂ）部に網体（７ａ）を束線バンド等の係止部材（ＢＡ）で固着して設けたものである。又、網体（７ａ）の張り調整は止輪（Ｒ）の大きさを代える事によって行ない、ボール（Ｂ）を入り易くしたり、入り難くしたりする事も出来る。
【００２１】
又、この球技具は、３チーム（例えばＡチーム・Ｂチーム・Ｃチーム）で競技する為、基台（１）部及び輪部（６）は、自分のチームのゴールネットを判別し易くする為に、異色の塗装やラバーを束線バンド等の係止部材（ＢＡ）で固着して３色（例えば赤色・黄色・青色等）に色分けしている。又、そうする事でより美観も良くなり、且つ、安全性も向上する。
【実施例２】
【００２２】
その他の事例として、この発明をプール等の水上に浮かばせて使用し、水球としても使用しても良い。但し、水上の場合は、地上又は床上に比較し、ゴールネットの高さをやや低めに調整する必要がある。
【産業上の利用可能性】
【００２３】
この発明の球技具は、大人から子供、又お年寄りや身障者が楽しく安全に輪に成って競技出来る事で多くの市場に寄与する点で産業上の利用可能性を有する。
【図面の簡単な説明】
【００２４】
【図１】この発明の一実施例を示し、（Ａ）は平面図で、（Ｂ）は一部欠截正面図である。
【図２】この発明の一実施例を示し、正面斜視図である。
【図３】この発明の使用例を示し、地上又は床上使用時の斜視図である。
【符号の説明】
【００２５】
１  基台
１ａ  ストッパーラバー
１ｂ  容器
１ｂ’  補給口
２  支柱
２ａ  アウター支柱
２ｂ  インナー支柱
３  支柱
３ａ  アウター支柱
３ｂ  インナー支柱
４  支柱
４ａ  アウター支柱
４ｂ  インナー支柱
５  網篭
６  輪部
７  ゴールネット
７ａ  網体
７ｂ  枠
８  リングパイプ
Ｂ  ボール
Ｂ１  ボルト
Ｂ２  ボルト
ＢＡ  束線バンド
Ｈ  ヒンジ
Ｎ  袋ナット
Ｒ  止輪
Ｗ  水や砂等のウェイト部材
【図１】
2006026221.tif 000003
【図２】
2006026221.tif 000004
【図３】
2006026221.tif 000005